(57)【要約】【課題】板紙を二重にすることなく簡単に開封することができる紙箱、及びインクカートリッジのパッケージの提供。【解決手段】紙箱１０は、六面体形状のものである。紙箱１０の正面板１１に蓋板１３，１４が連続している。正面板１１と背面板１２との間には、開口８５，８６が形成されている。蓋板１３の先端片３３が紙箱１０内へ折り込まれることにより、開口８５が蓋板１３で閉塞される。蓋板１４の先端片３４が紙箱１０内へ折り込まれることにより、開口８６が蓋板１４で閉塞される。紙箱１０の下面板１６は、正面板１１と背面板１２との両方と連続し、且つ蓋板１３，１４と隣接している。背面板１２には、折り目４２の両端に渡って第１ミシン目線２１及び第２ミシン目線２２が形成されている。第１ミシン目線２１及び第２ミシン目線２２は、折り目４２から離れる方向へ膨らむような弧状に形成されている。【選択図】図７
2009208785.tif 000002
【特許請求の範囲】
【請求項１】
六面体形状の紙箱であって、
対向して配置された一対の面板と、
上記一対の面板の一方と連続し、先端部が当該紙箱内へ折り込まれて、上記一対の面板間に形成された開口を閉塞する蓋と、
上記一対の面板の両方と連続し、上記蓋と隣接する側板と、を備え、
上記一対の一方又は他方の面板における当該面板と上記側板との折り曲げ部分の両端に渡って、当該折り曲げ部分から離れる方向へ膨らむ弧状のミシン目線が形成されている紙箱。
【請求項２】
上記ミシン目線は、中心の位置が異なる複数の弧状のミシン目線が連なったものである請求項１に記載の紙箱。
【請求項３】
上記複数の弧状のミシン目線の繋ぎ目に連なる直線状のミシン目線が、上記一対の面板間に渡って上記側板に形成されている請求項２に記載の紙箱。
【請求項４】
上記一対の他方の面板に上記蓋の先端部を留めるストッパが設けられた請求項１から３のいずれかに記載の紙箱。
【請求項５】
上記側板と対向し且つ上記蓋と隣接する面から当該紙箱の外側へ延出された吊下部を備え、
上記吊下部は、当該吊下部の厚み方向へ貫通する孔が形成されている請求項１から４のいずれかに記載の紙箱。
【請求項６】
請求項１から５のいずれかに記載の紙箱にインクカートリッジが収容されてなるインクカートリッジのパッケージ。
【発明の詳細な説明】
【技術分野】
【０００１】
本発明は、例えば商品が内容物として収容される紙箱、及び紙箱にインクカートリッジが収容されたパッケージに関する。
【背景技術】
【０００２】
例えば画像記録装置に装着されるインクカートリッジは、包装袋に入れられて減圧包装された後、紙箱に収容された状態で市場で流通される。インクカートリッジに限らず、その他多くの商品のパッケージとして紙箱が利用されており、従来の紙箱には様々な改良が加えられている（例えば特許文献１及び特許文献２参照。）。
【０００３】
特許文献１には、一旦開封された後に再度閉じることが可能な紙箱１３０が開示されている。図１０は、従来の紙箱１３０の外観構成を示す斜視図であり、紙箱１３０の背面パネル１３６側が示されている。図１１は、従来の紙箱１３０の展開図である。図１０及び図１１に示されるように、紙箱１３０は、正面パネル１３１、左側面パネル１３２、右側面パネル１３３、上側面パネル１３４、下側面パネル１３５、及び背面パネル１３６を有する略六面体形状のものである。この紙箱１３０は、以下のように組み立てられている。すなわち、紙箱１３０は、下側面パネル１３５に対して正面パネル１３１及び背面パネル１３６が折り曲げられた状態で、貼着片１４０に上側面パネル１３４が糊付けされている。これにより、貼着片１４０と上側面パネル１３４とからなる蓋１４７が形成される。左側面折込パネル１３８に左側面パネル１３２が糊付けされることにより、紙箱１３０の左側面が閉塞される。この状態で、紙箱１３０の右側面から紙箱１３０内に内容物が収容される。最後に、右側面折込パネル１３９に右側面パネル１３３が糊付けされることにより、紙箱１３０の右側面が閉塞されて紙箱１３０の組み立てが完了する。背面パネル１３６と貼着片１４０との折り曲げ部分には、中央の部分を除いてミシン目線１４５が形成されている。背面パネル１３６には、このミシン目線１４５を結ぶように半円状のミシン目線１４４が形成されている。これにより、上記折り曲げ部分とミシン目線１４４とで区画された押し込み領域１４１が背面パネル１３６に設けられている。
【０００４】
紙箱１３０は以下の要領で開封される。まず、押し込み領域１４１が押し込まれ、ミシン目線１４４に沿って背面パネル１３６が破断される。そして、正面パネル１３１と上側面パネル１３４との折り曲げ部分を中心として、蓋１４７が上方へ回動される。その際、ミシン目線１４５に沿って貼着片１４０と背面パネル１３６との折り曲げ部分が破断され、紙箱１３０の上面が開放される。なお、背面パネル１３６には、背面パネル１３６の表裏面に貫通する切り込み１４２が形成されている。上述のように紙箱１３０が一旦開封された後は、上側面パネル１３４と一体に構成されている吊下パネル１４３の上辺が下向きにされて切り込み１４２に差し込まれる。これにより、吊下パネル１４３が背面パネル１３６に固定され、紙箱１３０の上面が閉塞される。
【０００５】
特許文献２には、不正開封を容易に確認することができる紙箱１１０が開示されている。図１２は、従来の紙箱１１０の外観構成を示す斜視図であり、蓋１１１が開かれた状態が示されている。この紙箱１１０は、面板１１３と対向する面板１１８に蓋１１１が設けられている。蓋１１１の先端には、紙箱１１０内に折り込まれる先端片１１４が設けられている。この先端片１１４が接合される面板１１３には、ミシン目線１１７が設けられている。ミシン目線１１７は、面板１１３の端縁から面板１１３の中央側へ膨らむように略円弧状に形成されている。このミシン目線１１７によって面板１１３に押し込み領域１１２が区画されている。押し込み領域１１７の内側には、指標片１２０が設けられている。この指標片１２０は、ミシン目線１１７の一部とミシン目線１１９とで囲まれている。すなわち、指標片１２０は、ミシン目線１１７の一部及びミシン目線１１９に沿って破断されることにより、押し込み領域１１７から分離可能に構成されている。押し込み領域１１２は、ミシン目線１１７，１１９を避けるように紙箱１１０の内側に糊が塗られ、先端片１１４に貼り付けられる。
【０００６】
紙箱１１０は、押し込み領域１１２を面板１１３から破り取らないように蓋１１１を開くといった不正開封が行われることがある。このような不正開封が行われた場合、蓋１１１が上方へ引き上げられる際に指標片１２０を囲むミシン目線１１７の一部及びミシン目線１１９に沿って面板１１３が破断され、面板１１３から指標片１２０が切り取られる。その結果、押し込み領域１１２の指標片１２０が切り取られた部分に開口が形成される。これにより、紙箱１１０の不正開封が見つけられる。
【０００７】
【特許文献１】特開２００３−１２８０５０号公報
【特許文献２】特開平１０−１１９９５８号公報
【発明の開示】
【発明が解決しようとする課題】
【０００８】
ところで、特許文献１に記載の紙箱１３０は、貼着片１４０に上側面パネル１３４が糊付けされることによって蓋１４７が補強されている。このため、紙箱１３０は、ミシン目線１４４，１４５以外の部分が破れることなく開封される。しかしながら、蓋１４７を補強するためには、紙箱１３０の組み立て時に貼着片１４０に上側面パネル１３４を貼り付けるための糊付け作業が必要であり、紙箱１３０の組み立てには手間がかかるという問題がある。
【０００９】
また、特許文献２に記載の紙箱１１０では、面板１１３，１１８間の距離を長くした場合、蓋１１１が開かないように上面板１１５から先端片１１４が突出する長さを長くする必要がある。このように先端片１１４の長さを長くした場合、紙箱１１０の開封時に先端片１１４が内容物に干渉し、紙箱１１０を開封しにくいという問題点がある。
【００１０】
また、特許文献２に記載の紙箱１１０によれば、指標片１２０が押し込み領域１１２から切り取られたことを見て不正開封を確認することができる。しかしながら、例えば紙箱１１０が不正開封された後に先端片１１４が面板１１３の内側に糊付けされた場合、指標片１２０が紙箱１１０の開封前の位置に戻るため、紙箱１１０が不正開封されたか否かを見分けることが困難となる。
【００１１】
一方、特許文献１に記載の紙箱１３０は、右側面折込パネル１３９に右側面パネル１３３が糊付けされ、左側面折込パネル１３８に左側面パネル１３２が糊付けされている。このように、従来の紙箱１３０は、内容物を収容するための開口を確実に塞ぐために面倒な糊付け作業が必要であった。
【００１２】
本発明は、かかる問題に鑑みてなされたものであり、その目的は、組み立て及び開封を容易に行うことができ、且つ不正開封を確実に発見することができる紙箱、及びインクカートリッジのパッケージを提供することにある。
【００１３】
また、本発明の他の目的は、内容物を収容するための開口を糊付け作業なしに確実に閉塞することができる紙箱、及びインクカートリッジのパッケージを提供することにある。
【課題を解決するための手段】
【００１４】
(1)  本発明に係る紙箱は、六面体形状の紙箱であって、一対の面板と、蓋と、側板と、を備える。上記一対の面板は、対向して配置されている。上記蓋は、上記一対の面板の一方と連続しており、先端部が当該紙箱内へ折り込まれて、上記一対の面板間に形成された開口を閉塞する。上記側板は、上記一対の面板の両方と連続しており、上記蓋と隣接している。上記一対の一方又は他方の面板における当該面板と上記側板との折り曲げ部分の両端に渡って、当該折り曲げ部分から離れる方向へ膨らむ弧状のミシン目線が形成されている。
【００１５】
上記一対の面板間には開口が形成されている。この開口を通じて紙箱内に内容物が収容される。上記蓋は、一対の面板の一方と連続している。蓋が上記一方の面板に対して折り曲げられた後、蓋の先端部が紙箱内へ折り込まれる。これにより、上記開口が蓋によって閉塞される。
【００１６】
上記一対の面板間において、上記蓋と隣接する位置に側板が設けられている。側板は、上記一対の面板の両方と連続している。上記一対の一方又は他方の面板にミシン目線が形成されている。このミシン目線は、面板と上記側板との折り曲げ部分の両端に渡って、当該折り曲げ部分から離れる方向へ膨らむように弧状に形成されている。上記折り曲げ部分とミシン目線とで区画された領域が指で押し込まれることにより、ミシン目線に沿って紙箱が破断される。これにより、面板と側板とが分断されて、紙箱の側板で覆われていた部分に開口が形成される。すなわち、面板がミシン目線に沿って破断されることにより、紙箱に内容物を収容するための開口とは異なる開口が形成され、この開口を通じて内容物の取り出しが可能となる。なお、本発明において連続するとは、糊付け等によって接合されることなく、隣接する面板と一体形成されていることを意味する。また、本発明におけるミシン目線とは、紙箱を破断するための切り込みが所定のピッチで破線状に形成されたものである。
【００１７】
上述のように、本発明の紙箱は、折り曲げ部分とミシン目線とで区画された領域が押し込まれることによって面板と側板とが分断される。このため、紙箱を開封する際に面板や側板がミシン目線以外の部分で破れるおそれが少ない。したがって、ミシン目線に沿って綺麗に破断されるように蓋を二重にするための糊付け作業を行う必要がないので、紙箱を容易に組み立てることができる。
【００１８】
上記折り曲げ部分とミシン目線とで区画された領域は、ミシン目線が形成されている面板の端部に設けられている。したがって、上記領域が押し込まれた際に当該領域が紙箱内の内容物に干渉する可能性が低いので、紙箱は容易に開封される。
【００１９】
また、本発明の紙箱の側板には従来の紙箱の蓋のように先端片は設けられていない。このため、紙箱が一旦開封された後は、面板に側板を糊付けして紙箱を開封前の形状に戻すことは不可能である。したがって、面板と側板とが分断されているか否かを見て、紙箱の不正開封を確実に発見することが可能となる。
【００２０】
(2)  上記ミシン目線は、中心の位置が異なる複数の弧状のミシン目線が連なったものであることが好ましい。
【００２１】
上記構成により、紙箱が複数回に分けて破断され得る。このため、紙箱がミシン目線以外の部分で破断されることが防止され、紙箱がより開封されやすくなる。ここで、中心の位置が異なるとは、複数の弧状のミシン目線のそれぞれの中心の位置が相異なっていることを意味する。すなわち、複数の弧状のミシン目線は、面板の両端を結ぶ直線の延出方向における位置が相違している。
【００２２】
(3)  上記複数の弧状のミシン目線の繋ぎ目に連なる直線状のミシン目線が、上記一対の面板間に渡って上記側板に形成されていることが好ましい。
【００２３】
上記折り曲げ部分と弧状のミシン目線とで区画された領域が指で押し込まれる。これにより、紙箱が弧状のミシン目線に沿って破断される。そして、上記領域と連続する側板が上記折り曲げ部分とは反対側の折り曲げ部分を中心として回動されることにより、上記直線状のミシン目線に沿って側板が破断される。この一連の開封動作が繰り返されることにより、紙箱において側板で閉塞されていた部分に内容物を取り出すための開口が形成される。上記構成により、折り曲げ部分の両端の距離が長かったとしても、紙箱が弧状のミシン目線及び直線状のミシン目線に沿って綺麗に破断される。このため、紙箱がミシン目線以外の部分で破断されることがさらに防止され、紙箱が一層開封されやすくなる。
【００２４】
(4)  上記一対の他方の面板に上記蓋の先端部を留めるストッパが設けられていることが好ましい。
【００２５】
ストッパによって蓋の先端部が面板に留められるので、開口を通じて紙箱に内容物を収容した後に、先端部を一対の他方の面板に糊付けする作業を行う必要がない。したがって、内容物を収容するための開口を糊付け作業なしに確実に閉塞することができる。
【００２６】
(5)  上記側板と対向し且つ上記蓋と隣接する面から当該紙箱の外側へ延出された吊下部を備え、上記吊下部は、当該吊下部の厚み方向へ貫通する孔が形成されていることが好ましい。
【００２７】
紙箱の吊下状態において、側板が紙箱の底面を構成し、開口が横向きとなる。紙箱に収容されている内容物が側板によって支持されるので、内容物の重みで蓋が開くことがない。
【００２８】
(6)  また、本発明に係るインクカートリッジのパッケージは、上記紙箱にインクカートリッジが収容されてなる。
【００２９】
インクカートリッジは、概ね扁平形状の略六面体として構成されている。本発明に係る紙箱は、インクカートリッジを内容物として収容するのに好適である。
【発明の効果】
【００３０】
本発明によれば、紙箱を開封しやすくするために紙箱を糊付けして二重にする必要がないため、紙箱を容易に組み立てることができる。また、指で押し込まれる領域が面板の端部に設けられているため、当該領域が紙箱内の内容物に干渉する可能性が低い。したがって、紙箱を容易に開封することができる。また、紙箱が一旦開封された後は、面板と側板とが分断されるため、紙箱が開封前の状態に戻らない。したがって、面板と側板とが分断されているか否かを見て、紙箱の不正開封を確実に発見することができる。
【００３１】
また、ストッパによって蓋の先端片が他方の面板に留められる。したがって、内容物を収容するための開口を糊付け作業なしに確実に閉塞することができる。
【発明を実施するための最良の形態】
【００３２】
以下、適宜図面が参照されて、本発明の好ましい実施形態が説明される。なお、本実施形態は本発明の一例にすぎず、本発明の要旨を変更しない範囲で適宜変更され得る。
【００３３】
［図面の説明］
図１及び図２は、本発明の一実施形態に係るパッケージ１００の斜視図である。図１には、パッケージ１００の正面側が示されている。図２には、パッケージ１００の背面側が示されている。図３は、インクカートリッジの外観構成を示す斜視図である。図４は、本発明の一実施形態に係る紙箱１０の展開図である。図５は、図４におけるV部の拡大図である。図６は、図４におけるVI部の拡大図である。図７は、本発明の一実施形態に係る紙箱１０の斜視図であり、背面板１２と吊下板８１とが貼り合わされた状態が示されている。図８は、パッケージ１００の要部拡大斜視図であり、第１ミシン目線２１及び第３ミシン目線２３に沿って紙箱１０が破断された状態が示されている。図９は、パッケージ１００の要部拡大斜視図であり、ミシン目線２１乃至２３に沿って紙箱１０が破断された状態が示されている。
【００３４】
［紙箱１０の概略構成］
まず、本発明の一実施形態に係るパッケージ１００の概略構成について説明される。
【００３５】
このパッケージ１００は、紙箱１０（本発明の紙箱の一例）にインクカートリッジ９０（本発明のインクカートリッジの一例、図３参照）が収容されたものである。インクカートリッジ９０は、画像記録に使用されるインクを収容するものである。インクカートリッジ９０は、扁平形状の略六面体として構成されている。詳細には、インクカートリッジ９０は、図３に示されるように、縦方向１０６の長さＬ及び横方向１０７の長さＭが厚さ方向１０５の長さＮよりも長い略直方体形状に形成されている。このインクカートリッジ９０は、包装袋（不図示）に入れられて減圧包装された状態で紙箱１０に収容されている。インクカートリッジ９０は、インクジェット方式のプリンタに代表される記録装置（不図示）に装着されて使用される。記録装置では、インクカートリッジ９０から供給されるインクを記録ヘッドから選択的に吐出することにより、記録用紙に画像が記録される。なお、本実施形態では、紙箱１０にインクカートリッジ９０が収容される形態について説明されるが、紙箱１０に収容される内容物はインクカートリッジ９０に限定されるものではない。すなわち、紙箱１０に収容される内容物は、例えば食料品などのインクカートリッジ９０以外の商品であってもよい。
【００３６】
パッケージ１００は、大別して、胴部４０と、吊下部８０（本発明の吊下部の一例）とを有してなる。胴部４０と吊下部８０とは、１枚の板紙３０（図４参照）から構成されている。すなわち、胴部４０と吊下部８０とは、板紙３０によって一体に形成されている。胴部４０は、インクカートリッジ９０を収容するものであり、インクカートリッジ９０と同じく概ね六面体形状に形成されている。
【００３７】
吊下部８０には、胴部４０を吊り下げるための貫通孔２０（本発明の孔の一例、図１参照）が設けられている。貫通孔２０は、吊下部８０の厚み方向（図１において紙面に垂直な方向）へ貫通している。図には示されていないが、例えば陳列棚に水平に配置された支持棒が貫通孔２０に挿通される。これにより、パッケージ１００が吊り下げられる。図１及び図２には、このパッケージ１００の吊下状態が示されている。
【００３８】
以下、紙箱１０の構成について詳細に説明される。
【００３９】
紙箱１０は、１枚の板紙３０（図４参照）が組み立てられたものである。板紙３０は、厚みが一定の薄い紙で構成されている。すなわち、板紙３０の各部の強度は一定である。板紙３０の厚みは特に限定されるものではないが、本実施形態では０．２ｍｍ程度に設定されている。図４に示されるように、板紙３０には、折り目４２〜５３が形成されている。これにより、板紙３０は、背面板１２（本発明の一対の面板の他方に相当）と、下面板１６（本発明の側板の一例）と、正面板１１（本発明の一対の面板の一方に相当）と、上面板１５と、吊下板８１と、蓋板１３，１４（本発明の蓋の一例）と、先端片３３，３４（本発明の先端部の一例）と、舌片２５〜２８と、に区画されている。これらの構成要素のうち、正面板１１と、背面板１２と、上面板１５と、下面板１６と、蓋板１３と、蓋板１４と、によって紙箱１０の六面が構成される。
【００４０】
図１に示されるように、紙箱１０の胴部４０は、六面体形状に構成されている。詳細には、胴部４０は、厚さ方向９７の長さＨよりも横方向９５の長さＧが長く、長さＧよりも縦方向９６の長さＦが長い六面体形状に構成されている。インクカートリッジ９０は、厚さ方向１０５が厚さ方向９７と一致し、横方向１０７が縦方向９６と一致し、且つ、縦方向１０６が横方向９５と一致するように胴部４０に収容される。このため、胴部４０の厚さ方向９７の長さＨは、インクカートリッジ９０の厚さ方向１０５の長さＮよりも若干大きく設定されている。また、胴部４０の縦方向９６の長さＦは、インクカートリッジ９０の横方向１０７の長さＭよりも大きく設定されている。また、胴部４０の横方向９５の長さＧは、インクカートリッジ９０の縦方向１０６の長さＬよりも若干大きく設定されている。
【００４１】
［正面板１１］
正面板１１は、上面板１５、蓋板１３、蓋板１４、及び下面板１６と連続している（図４参照）。本実施形態において連続するとは、糊付け等によって接合されることなく、隣接する板紙と一体形成されていることを意味する。正面板１１に対して、上面板１５が折り目４４に沿って略直角に折り曲げられ、蓋板１３が折り目４６に沿って略直角に折り曲げられ、蓋板１４が折り目４７に沿って略直角に折り曲げられ、下面板１６が折り目４３に沿って略直角に折り曲げられている。
【００４２】
［背面板１２］
図４に示されるように、背面板１２の先端５５付近に吊下穴１８が形成されている。吊下穴１８は、長手方向３６よりも短手方向３７に長い貫通孔である。吊下板８１には、この吊下穴１８と対応する位置に吊下穴１９が形成されている。吊下穴１８と吊下穴１９とは、同じ形状で且つ同じ大きさのものである。
【００４３】
図４に示されるように、背面板１２は下面板１６と連続している。背面板１２と下面板１６との間には、短手方向３７へ延びる折り目４２（本発明の折り曲げ部分の一例）が形成されている。背面板１２は、下面板１６に対して折り目４２に沿って略直角に折り曲げられている。また、上述したように、正面板１１は、下面板１６に対して折り目４３に沿って略直角に折り曲げられている。これにより、正面板１１と背面板１２とは、所定の間隔を隔てて対向して配置されている。上面板１５の先端側に吊下板８１が設けられている。吊下板８１は、上面板１５に対して折り目４５に沿って略直角に折り曲げられている。上述したように、下面板１６に対して背面板１２及び正面板１６が折り曲げられ、正面板１６に対して上面板１５が折り曲げられ、さらに、上面板１５に対して吊下板８１が折り曲げられる。これにより、吊下板８１が背面板１２の先端５５側に当接する。吊下板８１は、この背面板１２の先端５５側に糊付けされている（図７参照）。このように背面板１２と吊下板８１とが接合されることにより、背面板１２と吊下板８１とからなる吊下部８０が形成される。吊下部８０は、上面板１５から紙箱１０の外側（図１においては上側）へ延出されている。なお、上面板１５は、下面板１６と対向し且つ蓋板１３，１４と隣接する面を構成するものである。
【００４４】
なお、吊下板８１には吊下穴１９が形成されている。吊下穴１９は、吊下穴１８と同じ大きさで且つ同形状の貫通孔である。吊下穴１９は、吊下板８１において吊下穴１８と対応する位置に設けられている。上述のように吊下板８１と背面板１２とが接合される際に、背面板１２の吊下穴１８と、吊下板８１の吊下穴１９とが重なるように吊下板８１が背面板１２に貼り付けられる。これにより、吊下穴１８と吊下穴１９とからなる貫通孔２０が吊下部８０に形成される。
【００４５】
図４及び図５に示されるように、背面板１２の側端５６側に係止片６１（本発明のストッパの一例）が設けられている。係止片６１は、背面板１２の側端５６側の一部が切り欠かれるとともに、背面板１２に対して側端５６と連続する切り込み６３が入れられることによって形成されている。これにより、係止片６１は、概ねキノコ形状に構成されている。この係止片６１は、背面板１２に蓋板１３の先端片３３を係止するためのものである。図５及び図６に示されるように、長手方向３６（図４参照）における係止片６１の幅方向寸法Ａは、長手方向３６における被係合部７１（図６参照）の切り込み８７の幅方向寸法Ｄよりも若干小さく設定されている。このため、係止片６１が挿入口７４及び切り込み８７を通じて被係合部７１に挿入可能である。また、長手方向３６における係止片６１の切り込み６３の幅方向寸法Ｂは、長手方向３６における被係合部７１の挿入口７４の幅方向寸法Ｃよりも若干小さく設定されている。このため、係止片６１が被係止部７１の挿入口７４及び切り込み８７に挿入されると、係止片６１が被係止部７１に係止された状態となる。すなわち、先端片３３が背面板１２に留められた状態となる。
【００４６】
また、背面板１２の側端５７側に係止片６２（本発明のストッパの一例）が設けられている。係止片６２は、背面板１２の側端５７側の一部が切り欠かれるとともに、背面板１２に対して側端５７と連続する切り込み６４（図４参照）が入れられることによって形成されている。係止片６２は、係止片６１と同形状且つ同じ大きさのものである。このため、係止片６２の形状及び寸法の詳細な説明は省略される。係止片６２が被係止部７２の挿入口７５及び切り込み８８に挿入されると、係止片６２が被係止部７２に係止された状態となる。すなわち、先端片３４が背面板１２に留められた状態となる。
【００４７】
図４に示されるように、背面板１２の下端５８側にミシン目線２１，２２（本発明の弧状のミシン目線の一例）が形成されている。ミシン目線２１，２２は、紙箱１０を破断するための切り込みが所定のピッチで破線状に形成されたものである。切り込みは、板紙３０の表裏面に貫通している。第１ミシン目線２１及び第２ミシン目線２２は、折り目４２の一端６５から他端６６に渡って形成されている。また、第１ミシン目線２１及び第２ミシン目線２２は、短手方向３７における折り目４２の中間６７において連続している。すなわち、折り目４２の中間６７が第１ミシン目線２１と第２ミシン目線２２との繋ぎ目である。このように、第１ミシン目線２１及び第２ミシン目線２２は、背面板１２における折り目４２の両端６５，６６間に連なっている。第１ミシン目線２１の形状は、仮想中心７７（本発明の中心）を中心とする弧状である。第２ミシン目線２２の形状は、仮想中心７８（本発明の中心）を中心とする弧状である。すなわち、第１ミシン目線２１及び第２ミシン目線２２は、互いに中心の位置が異なっている。換言すれば、第１ミシン目線２１及び第２ミシン目線２２は、背面板１２の側端５６，５７を結ぶ直線の延出方向（短手方向３７）における位置が相違している。第１ミシン目線２１及び第２ミシン目線２２は、それぞれ折り目４２から離れる方向（図４では上方向）へ膨らむように形成されている。
【００４８】
［蓋板１３，１４］
紙箱１０を背面板１２側から見て左側に蓋板１３が設けられている。蓋板１３は、折り目４６を介して正面板１１と連続している（図４参照）。パッケージ１００が組み立てられた状態において、蓋板１３は、蓋板１４と対向するとともに、上面板１５及び下面板１６と隣接する。板紙３０が折り目４２〜４５で折り曲げられた状態で背面板１２と吊下板８１とが接合される。正面板１１と背面板１２との間に２つの開口８５，８６（本発明の開口の一例、図７参照）が形成される。具体的には、図７に示されるように、紙箱１０を背面板１２側から見て左側面に開口８５が形成され、右側面に開口８６が形成される。蓋板１３は、開口８５を閉塞するものであり、蓋板１４は、開口８６を閉塞するものである。
【００４９】
蓋板１３の先端側に先端片３３が設けられている。先端片３３は、折り目４８を介して蓋板１３と連続している。蓋板１３は、正面板１１に対して折り目４６に沿って折り曲げられる。先端片３３は、この蓋板１３に対して折り目４８に沿って折り曲げられた状態で紙箱１０内へ挿入される。このように、先端片３３は、紙箱１０内へ折り込まれる。
【００５０】
図４及び図６に示されるように、先端片３３の中央部分に被係止部７１が設けられている。被係止部７１は、係止片６１が係止されるものである。このため、被係止部７１は、係止片６１と対応する位置に設けられている。被係止部７１は、挿入口７４及び切り込み８７を有している。挿入口７４は、短手方向３７よりも長手方向３６に長い貫通孔である。挿入口７４は、先端片３３の中央部分の一部が切り欠かれることによって形成されている。切り込み８７は、この挿入口７４の長手方向３６の両側と連続するように先端片３３に形成されている。図５及び図６に示されるように、長手方向３６における挿入口７４の幅方向寸法Ｃは、長手方向３６における切り込み６３の幅方向寸法Ｂよりも大きく、且つ、係止片６１の幅方向寸法Ａよりも小さく設定されている。また、長手方向３６における切り込み８７の幅方向寸法Ｄは、係止片６１の幅方向寸法Ａよりも若干大きく設定されている。
【００５１】
紙箱１０を背面板１２側から見て右側に蓋板１４が設けられている。蓋板１４は、折り目４７を介して正面板１１と連続している。蓋板１４は、開口８６（図７参照）を閉塞するものである。開口８５が蓋板１３で閉塞され且つ開口８６が蓋板１４で閉塞された状態において、蓋板１４は、蓋板１３と対向するとともに、上面板１５及び下面板１６と隣接する。
【００５２】
蓋板１４の先端側に先端片３４が設けられている。先端片３４は、折り目４９を介して蓋板１４と連続している。蓋板１４は、正面板１１に対して折り目４７に沿って略直角に折り曲げられる。先端片３４は、この蓋板１４に対して折り目４９に沿って略直角に折り曲げられた状態で紙箱１０内へ挿入される。このように、先端片３４は、紙箱１０内へ折り込まれる。
【００５３】
図４に示されるように、先端片３４の中央部分に被係止部７２が設けられている。被係止部７２は、係止片６２が係止されるものである。このため、被係止部７２は、係止片６２と対応する位置に設けられている。被係止部７２は、挿入口７５及び切り込み８８を有している。挿入口７５及び切り込み８８は、被係止部７１の挿入口７４及び切り込み８７と同様に形成されている。このため、挿入口７５及び切り込み８８の詳細な説明は省略する。
【００５４】
［下面板１６］
下面板１６は、折り目４２を介して背面板１２と連続している。また、下面板１６は、折り目４３を介して正面板１１と連続している。すなわち、下面板１６は、正面板１１及び背面板１２の両方と連続している。紙箱１０の開口８５が蓋板１３で閉塞された状態において、下面板１６は蓋板１３と隣接する。また、紙箱１０の開口８６が蓋板１４で閉塞された状態において、下面板１６は蓋板１４と隣接する。
【００５５】
下面板１６には直線状の第３ミシン目線２３が形成されている。第３ミシン目線２３は、紙箱１０を破断するための切り込みが所定のピッチで破線状に形成されたものである。折り目４２の中間６７と折り目４３の中間６８とを両端とする直線状のミシン目線である。すなわち、第３ミシン目線２３は、正面板１１と背面板１２との間に渡って形成されている。下面板１６に第３ミシン目線２３が形成されていることにより、下面板１６は、第３ミシン目線２３を挟んで第１下面板１０１及び第２下面板１０２に区画されている。なお、第３ミシン目線２３が折り目４３の中間６８まで延出されているので、第３ミシン目線２３は、第１ミシン目線２１及び第２ミシン目線２２と連続している。
【００５６】
［パッケージ１００の組立方法］
次に、パッケージ１００の組立方法について説明する。
【００５７】
まず、図４に示される板紙３０を折り目４２〜４４に沿って山折りするとともに、板紙３０を折り目４５に沿って谷折りする。これにより、背面板１２と吊下板８１とが当接するので、吊下板８１を背面板１２の先端５５側に糊付けする。その際、背面板１２の吊下穴１８と吊下板８１の吊下穴１９とが重なるようにする。この結果、図５に示されるように、背面板１２及び吊下板８１からなる吊下部８０が形成される。また、これに伴い、背面板１２側から見て紙箱１０の左側面に開口８５が形成され、紙箱１０の右側面に開口８６が形成される。なお、図５には、板紙３０が折り目４６〜４９に沿って若干折り曲げられた状態が示されている。
【００５８】
次に、紙箱１０の開口８５を閉塞する。具体的には、上面板１５に対して舌片２７を紙箱１０の内側へ折り曲げ、下面板１６に対して舌片２６を紙箱１０の内側へ折り曲げる。そして、正面板１１に対して蓋板１３を折り目４６に沿って折り曲げ、蓋板１３に対して先端片３３を折り目４８に沿って折り曲げ、先端片３３を紙箱１０内に挿し込む。その際、背面板１２の係止片６１を挿入口７４内に挿入する。これにより、係止片６１が被係止部７１に係止された状態で開口８５が蓋板１３によって閉塞される。すなわち、先端片３３を背面板１２に糊付けすることなく開口８５を閉塞することができる。
【００５９】
続いて、開口８６を通じて紙箱１０内にインクカートリッジ９０を挿入する。インクカートリッジ９０を紙箱１０内に挿入した後、紙箱１０の開口８６を閉塞する。具体的には、上面板１５に対して舌片２８を紙箱１０の内側に折り曲げ、下面板１６に対して舌片２６を紙箱１０の内側に折り曲げる。そして、正面板１１に対して蓋板１４を折り目４７に沿って折り曲げ、蓋板１４に対して先端片３４を折り目４９に沿って折り曲げ、先端片３４を紙箱１０内に挿し込む。その際、背面板１２の係止片６２を挿入口７５に挿入する。これにより、係止片６２が被係止部７２に係止された状態となる。
【００６０】
以上の組立工程によってインクカートリッジ９０が収容されたパッケージ１００が完成する。パッケージ１００の組立においては、係止片６２によって先端片３４が背面板１２に留められるので、開口８６を通じて紙箱１０にインクカートリッジ９０を収容した後に、先端片３４を背面板１２に糊付けする作業を行う必要がない。また、背面板１２に係止片６１が設けられているので、先端片３３についても、背面板１２に糊付け作業を行う必要がない。したがって、開口８５，８６を糊付け作業なしに確実に閉塞することができる。なお、本実施形態では、紙箱１０内に開口８６を通じてインクカートリッジ９０が収容される形態について説明したが、紙箱１０内に開口８５を通じてインクカートリッジ９０が収容されてもよい。この場合、開口８５に先だって、開口８６を閉塞するようにすればよい。
【００６１】
［パッケージ１００の開封］
続いて、図２、図８、及び図９を参照しつつ、パッケージ１００の開封方法について説明する。
【００６２】
まず、パッケージ１００の折り目４２と第１ミシン目線２１とで区画された第１領域９１を指で押し込む。これにより、紙箱１０の背面板１２が第１ミシン目線２１に沿って破断される。そして、第１領域９１と連続する第１下面板１０１を折り目４３を中心として紙箱１０の外側へ回動させる。その際、第２下面板１０２が背面板１２と正面板１１との両方に連続しているので、第１下面板１０１と第２下面板１０２とが第３ミシン目線２３に沿って破断される。その結果、図８に示されるように、パッケージ１００において第１下面板１０１で覆われていた部分に開口が形成される。
【００６３】
続いて、パッケージ１００の折り目４２と第２ミシン目線２２とで区画された第２領域９２を指で押し込む。これにより、紙箱１０の背面板１２が第２ミシン目線２２に沿って破断される。そして、第２領域９２と連続する第２下面板１０２を折り目４３を中心として紙箱１０の外側へ回動させる。その結果、図９に示されるように、紙箱１０において第２下面板１０２で覆われていた部分に開口が形成される。このような一連の開封作業によって、紙箱１０において下面板１６で閉塞されていた部分に紙箱１０内からインクカートリッジ９０を取り出すための開口が形成される。
【００６４】
［本実施形態の作用効果］
本実施形態に係るパッケージ１００によれば、第１領域９１及び第２領域９２が押し込まれることによって背面板１２と下面板１６とが分断される。このため、パッケージ１００を開封する際に背面板１２や下面板１６がミシン目線２１，２２以外の部分で破れるおそれが少ない。したがって、ミシン目線２１，２２に沿って綺麗に破断されるように蓋を二重にするための糊付け作業を行う必要がないので、パッケージ１００を容易に組み立てることができる。
【００６５】
また、第１領域９１及び第２領域９２は、背面板１２の端部（図２では下端）に設けられている。したがって、第１領域９１又は第２領域９２が押し込まれた際に、第１領域９１又は第２領域９２が胴部４０内のインクカートリッジ９０に干渉する可能性が低いので、パッケージ１００は容易に開封される。
【００６６】
また、パッケージ１００の下面板１６には従来の紙箱の蓋のように先端片が設けられていない。このため、パッケージ１００が一端開封された後は、背面板１２に下面板１６を糊付けして紙箱１０を開封前の形状に戻すことは不可能である。したがって、背面板１２と下面板１６とが分断されているか否かを見て、パッケージ１００の不正開封を確実に発見することができる。
【００６７】
また、本実施形態では、背面板１２の側端５６，５７間に渡って２つのミシン目線２１，２２が形成されている。このため、紙箱１０が２回に分けて破断される。このため、紙箱１０が第１ミシン目線２１及び第２ミシン目線２２以外の部分で破断されることが防止され、紙箱１０がより開封されやすくなる。
【００６８】
また、本実施形態では、下面板１６に第１ミシン目線２１及び第２ミシン目線２２と連続する第３ミシン目線２３が形成されている。このため、紙箱１０の大きさに拘わらず、紙箱１０が第１ミシン目線２１、第２ミシン目線２２、及び第３ミシン目線２３に沿って綺麗に破断される。このため、紙箱１０がミシン目線２１〜２３以外の部分で破断されることが防止され、紙箱１０が一層開封しやすくなっている。
【００６９】
また、本実施形態では、下面板１６と対向し且つ蓋板１３，１４と隣接する上面１５から吊下部８０が紙箱１０の外側へ延出されている。このため、紙箱１０の吊下状態（図１参照）において、下面板１６が紙箱１０の底面を構成し、開口８５，８６が横向きとなる。紙箱１０に収容されているインクカートリッジ９０が下面板１６によって支持されるので、インクカートリッジ９０の重みで蓋板１３，１４が開くことがない。
【００７０】
なお、本実施形態では背面板１２に２つの弧状のミシン目線２１，２２が形成されている形態について説明したが、１或いは３つ以上の弧状のミシン目線が形成されていてもよい。
【００７１】
また、本実施形態では、第１ミシン目線２１及び第２ミシン目線２２が背面板１２に形成されている形態について説明したが、第１ミシン目線２１及び第２ミシン目線２２は、正面板１１に形成されていてもよい。
【００７２】
また、本実施形態では、下面板１２に第３ミシン目線２３が形成されている形態について説明したが、例えば短手方向３７における下面板１２の幅が狭い場合には、下面板１２に第３ミシン目線２２が形成されていなくてもよい。
【００７３】
また、本実施形態では、先端片３３，３４が係止片６１，６２と被係止部７１，７２との係合によって背面板１２に接合される形態について説明したが、先端片３３，３４は、糊付けによって背面板１２に固定されてもよい。
【図面の簡単な説明】
【００７４】
【図１】図１は、本発明の一実施形態に係るパッケージ１００の斜視図であり、パッケージ１００の正面側が示されている。
【図２】図２は、本発明の一実施形態に係るパッケージ１００の斜視図であり、パッケージ１００の背面側が示されている。
【図３】図３は、インクカートリッジの外観構成を示す斜視図である。
【図４】図４は、本発明の一実施形態に係る紙箱１０の展開図である。
【図５】図５は、図４におけるV部の拡大図である。
【図６】図６は、図４におけるVI部の拡大図である。
【図７】図７は、本発明の一実施形態に係る紙箱１０の斜視図であり、背面板１２と吊下板８１とが貼り合わされた状態が示されている。
【図８】図８は、パッケージ１００の要部拡大斜視図であり、第１ミシン目線２１及び第３ミシン目線２３に沿って紙箱１０が破断された状態が示されている。
【図９】図９は、パッケージ１００の要部拡大斜視図であり、ミシン目線２１乃至２３に沿って紙箱１０が破断された状態が示されている。
【図１０】図１０は、従来の紙箱１３０の外観構成を示す斜視図であり、紙箱１３０の背面パネル１３６側が示されている。
【図１１】図１１は、従来の紙箱１３０の展開図である。
【図１２】図１２は、従来の紙箱１１０の外観構成を示す斜視図であり、蓋１１１が開かれた状態が示されている。
【符号の説明】
【００７５】
１０・・・紙箱（本発明の紙箱の一例）
１１・・・正面板（本発明の一対の面板の一方に相当）
１２・・・背面板（本発明の一対の面板の他方に相当）
１３，１４・・・蓋板（本発明の蓋の一例）
１６・・・下面板（本発明の側板の一例）
２０・・・貫通孔（本発明の孔の一例）
２１・・・第１ミシン目線（本発明の弧状のミシン目線の一例）
２２・・・第２ミシン目線（本発明の弧状のミシン目線の一例）
２３・・・第３ミシン目線（本発明の直線状のミシン目線の一例）
３３，３４・・・先端片（本発明の先端部の一例）
４２・・・折り目（本発明の折り曲げ部分の一例）
６１，６２・・・係止片（本発明のストッパの一例）
６７・・・中間（繋ぎ目）
７７，７８・・・仮想中心（本発明の中心の一例）
８０・・・吊下部
８５，８６・・・開口
９０・・・インクカートリッジ
１００・・・パッケージ
【図１】
2009208785.tif 000003
【図２】
2009208785.tif 000004
【図３】
2009208785.tif 000005
【図４】
2009208785.tif 000006
【図５】
2009208785.tif 000007
【図６】
2009208785.tif 000008
【図７】
2009208785.tif 000009
【図８】
2009208785.tif 000010
【図９】
2009208785.tif 000011
【図１０】
2009208785.tif 000012
【図１１】
2009208785.tif 000013
【図１２】
2009208785.tif 000014